(57)【特許請求の範囲】
【請求項１】
複数のパネル部材を備えるエレベータかご室の壁パネルであって、
前記複数のパネル部材は、かご操作パネルと、これに隣接するエレベータかご室の面との間のスペースを選択的に覆い、該スペースに仕上げ壁面を付与するように、前記壁パネルの大きさを調節すべく互いに対して移動可能であり、
前記パネル部材は、前記壁パネルが第１の外側寸法を有する収縮位置と、前記壁パネルがより大きい第２の外側寸法を有する拡張位置との間に亘って互いに対して移動可能であり、
前記パネル部材の各々は、主パネル部分と、第２のパネル部分と、を含み、
前記パネル部材が収縮位置にあるときに、前記主パネル部分は、隣接する主パネル部分に当接して、集合的に仕上げ面を付与し、
前記パネル部材が拡張位置にあるときに、前記主パネル部分及び前記第２のパネル部分は、集合的に仕上げ面を付与することを特徴とするエレベータかご室壁パネル。
【請求項２】
前記パネル部材は、前記収縮位置と最大拡張位置との間における複数の拡張位置へと移動可能であることを特徴とする請求項１に記載のエレベータかご室壁パネル。
【請求項３】
前記パネル部材を拡張位置へと付勢する複数の付勢部材を有することを特徴とする請求項１に記載のエレベータかご室壁パネル。
【請求項４】
前記付勢部材は、前記パネル部材を互いに対して離間させるばねからなることを特徴とする請求項３に記載のエレベータかご室壁パネル。
【請求項５】
隣接する一のパネル部材から離間する一のパネル部材の移動量を制限する複数のストップ部材を備えることを特徴とする請求項３に記載のエレベータかご室壁パネル。
【請求項６】
前記ストップ部材は、一端が一のパネル部材に固定された軸部を含み、
前記軸部は、隣接する一のパネル部材に形成されたスロット内に少なくとも部分的に受容され、
対応する一の付勢部材によって一のパネル部材が隣接するパネル部材から離間する距離が最大となるように、各ストップ部材は、前記隣接するパネル部材に当接するストップ面を含むことを特徴とする請求項５に記載のエレベータかご室壁パネル。
【請求項７】
床と、
前記床の上方にある天井と、
前記床と前記天井との間に位置する複数の壁部と、
一の壁部に支持されているかご操作パネルと、
壁パネルと、
を備え、
前記かご操作パネルと、前記床又は前記天井の少なくとも一方との間には前記かご操作パネルに隣接するスペースが形成され、
前記壁パネルは、互いに対して移動可能な複数のパネル部材を有し、
前記複数のパネル部材は、前記かご操作パネルに隣接する前記スペースを選択的に覆い、該スペースにおける仕上げ壁面となるように、前記パネルの大きさを調節すべく移動可能であり、
前記パネル部材は、前記壁パネルが第１の外側寸法を有する収縮位置と、前記壁パネルがより大きい第２の外側寸法を有する拡張位置との間に亘って互いに対して移動可能であり、
前記パネル部材の各々は、主パネル部分と、第２のパネル部分と、を含み、
前記パネル部材が収縮位置にあるときに、前記主パネル部分は、隣接する主パネル部分に当接して、集合的に仕上げ面を付与し、
前記パネル部材が拡張位置にあるときに、前記主パネル部分及び前記第２のパネル部分は、集合的に仕上げ面を付与することを特徴とするエレベータかご室。
【請求項８】
前記パネル部材は、前記収縮位置と最大拡張位置との間における複数の拡張位置へと移動可能であることを特徴とする請求項７に記載のエレベータかご室。
【請求項９】
前記パネル部材を拡張位置へと付勢する複数の付勢部材を有することを特徴とする請求項７に記載のエレベータかご室。
【請求項１０】
前記付勢部材は、前記パネル部材を互いに対して離間させるばねからなることを特徴とする請求項９に記載のエレベータかご室。
【請求項１１】
隣接する一のパネル部材から離間する一のパネル部材の移動量を制限する複数のストップ部材を備えることを特徴とする請求項９に記載のエレベータかご室。
【請求項１２】
前記ストップ部材は、一端が一のパネル部材に固定された軸部を含み、
前記軸部は、隣接する一のパネル部材に形成されたスロット内に少なくとも部分的に受容され、
対応する一の付勢部材によって一のパネル部材が隣接するパネル部材から離間する距離が最大となるように、各ストップ部材は、前記隣接するパネル部材に当接するストップ面を含むことを特徴とする請求項１１に記載のエレベータかご室。
【請求項１３】
前記パネル部材は、前記スペースを覆う前記壁パネルに対応する拡張位置へと自動的に移動することを特徴とする請求項７に記載のエレベータかご室。
【請求項１４】
かご操作パネルと、これに隣接するエレベータかご室の面との間のスペースを覆う方法であって、
前記かご操作パネルと、前記隣接するエレベータかご室の面との間に複数のパネル部材を配置するステップと、
前記パネル部材が前記スペースを覆い、前記スペースを覆うための仕上げ面を付与するまで、前記パネル部材が互いに対して移動することを許容するステップと、
前記複数のパネル部材を一緒に収縮位置に位置させるステップと、
前記パネル部材が収縮位置にあるときに、前記かご操作パネルと前記隣接するエレベータかご室の面との間に前記パネル部材を配置するステップと、
前記パネル部材が拡張位置へと移動することを許容するステップと、
を含み、
前記収縮位置では、前記パネル部材は、前記スペースの寸法と最大でも同じ寸法となる第１の外側寸法を集合的に構成し、
前記拡張位置では、前記パネル部材は、前記スペースの寸法と実質的に同じ寸法であるより大きい第２の外側寸法を集合的に構成し、
前記パネル部材の各々は、主パネル部分と、第２のパネル部分と、を含み、
前記パネル部材が収縮位置にあるときに、前記主パネル部分は、隣接する主パネル部分に当接して、集合的に仕上げ面を付与し、
前記パネル部材が拡張位置にあるときに、前記主パネル部分及び前記第２のパネル部分は、集合的に仕上げ面を付与することを特徴とする方法。
【請求項１５】
前記パネル部材は拡張位置へと自動的に移動することを特徴とする請求項１４に記載の方法。
【発明の詳細な説明】
【技術分野】
【０００１】
本発明は、エレベータかご室の壁パネルに関する。
【背景技術】
【０００２】
エレベータかご室は、例えば、ビルの異なる階の間に亘って乗客を運ぶ。エレベータかご室の室内は、種々のスタイルで仕上げられている。多くのエレベータかご室は、乗客が行き先階を選択するためのかご操作パネルを含む。かご操作パネルは、通常、かご室の室内と調和するように仕上げられている。
【発明の概要】
【発明が解決しようとする課題】
【０００３】
エレベータかご室を組み立てる際に、種々の問題が生じる。例えば、かご室の大きさに合わせて特注部品を設計することが必要な場合がある。種々のかご室の大きさに合わせて特注部品を設計することは、コストが増加するとともに、取付作業者が揃えておくべき部品が多くなってしまう。
【課題を解決するための手段】
【０００４】
例示的なエレベータかご室の壁パネルは、壁パネルの大きさを調節するように互いに対して選択的に移動可能な複数のパネル部材を備える。壁パネルは、かご操作パネルと、これに隣接するエレベータかご室の面との間のスペースを選択的に覆うのに有用である。壁パネルは、スペースに仕上げ壁面を付与する。
【０００５】
例示的なエレベータかご室は、床と、床の上方にある天井と、床と天井との間に位置する複数の壁部と、を備える。一の壁部によりかご操作パネルが支持されており、かご操作パネルと、床又は天井の少なくとも一方との間にはかご操作パネルに隣接するスペースが形成されている。壁パネルは、かご操作パネルに隣接するスペースを選択的に覆うべく、壁パネルの大きさを調節するように互いに対して選択的に移動可能な複数のパネル部材を有する。壁パネルは、スペースに仕上げ壁面を付与する。
【０００６】
かご操作パネルと、これに隣接するエレベータかご室の面との間のスペースを覆う例示的な方法は、かご操作パネルと、隣接するエレベータかご室の面との間に複数のパネル部材を配置するステップを含む。パネル部材は、パネル部材がスペースを覆い、スペースを覆うための仕上げ面を付与するまで、互いに対して移動することが許容される。
【０００７】
本発明の開示する実施例の種々の利点及び特徴は、以下の詳細な説明によって当業者に明らかになるであろう。詳細な説明に付随する図面について、以下に簡単に説明する。
【図面の簡単な説明】
【０００８】
【図１】本発明の一実施例により設計されたエレベータかご室の一部を示す概略図。
【図２】互いに対して第１の位置にあるパネル部材を有する本発明の一実施例により設計された例示的な壁パネルを示す概略図。
【図３】互いに対して第２の位置にあるパネル部材を有する図２の例示的な壁パネルを示す概略図。
【図４】図２の実施例の一部の特徴を示す概略図。
【図５】他の位置における図４の実施例の一部の特徴を示す概略図。
【発明を実施するための形態】
【０００９】
図１は、エレベータかご室２０の一部を概略的に示したものである。本実施例では、かご室２０は、周知のように開閉してエレベータかご室内へのアクセスを許容するエレベータかごドア２２を有する。ドア２２の一方の側には一の壁部２４があり、ドア２２の他方の側には他の壁部２６がある。本実施例では、壁部２６にかご操作パネル２８が設けられている。かご操作パネル２８により、例えば、乗客が所望の行き先階を選択することができる。
【００１０】
かご操作パネル２８と、エレベータかご室２０の床３２との間には、壁パネル３０が位置する。かご操作パネル２８を取り付けたとき、かご操作パネル２８と、これに隣接するエレベータかご２２の面（例えば、床３２の面）との間にスペースＳが生じる。壁パネル３０は、スペースＳを覆い、スペースＳにおける仕上げ面となる。例示的な壁パネル３０を取り付けた後は、スペースＳの仕上げのために何も要求されない。
【００１１】
壁パネル３０は、異なるエレベータかご室において大きさが異なるスペースＳに合わせて外側の寸法を選択的に調節することができる。スペースＳは、例えば、かご操作パネル２８の底部と、エレベータかご室２０の床３２との間で異なっていることがある。例示的な壁パネル３０は、スペースＳを容易に満たし、スペースＳを覆って仕上げ面を付与することで、エレベータかご室２０の経済的な組立及び設置を促進する。
【００１２】
図１に示したスペースＳは説明を目的として図示したものであることを理解されたい。図示したエレベータかご室２０の異なる特徴部分の相対的な比率や寸法は、図示したものと異なる場合がある。例えば、壁部２６に対するかご操作パネル２８の寸法が異なることがある。スペースＳの大きさは、エレベータかご室内から見た場合に、例えば、高さが１０ｍｍ〜１５ｍｍ程度であり、幅が５００ｍｍ程度とし得る。
【００１３】
図２から分かるように、壁パネル３０は、複数のパネル部材３４を有する。図には４つのパネル部材３４Ａ，３４Ｂ，３４Ｃ，３４Ｄを示している。壁パネル３０の他の実施例として、異なる数のパネル部材を有していてもよい。図２では、パネル部材３４は、互いに対して密に収縮（圧縮）されて、第１の外側寸法Ｈ１が形成される。この第１の収縮位置では、複数の主パネル部分３６Ａ，３６Ｂ，３６Ｃ，３６Ｄは、第１の外側寸法Ｈ１に対応する大きさを有するスペースＳを覆う仕上げ面を構成する。図２に示す収縮位置では、複数の主パネル部分３６は、互いに隣接して受容され、該部分が集って（集合的に）、スペースＳを覆うために用いられる仕上げ面をもたらす。
【００１４】
図３は、第２の拡張位置にあるパネル部材３４を図示している。図３に示すように、パネル部材３４は、主パネル部分３６と、第２のパネル部分３８Ａ，３８Ｂ，３８Ｃ，３８Ｄと、を有する。図３の拡張位置では、主パネル部分３６及び第２のパネル部分３８は、より大きい第２の外側寸法Ｈ２を集合的に構成する。
【００１５】
図２と図３とを比較すると、壁パネル３０が、かご操作パネル２８と、これに隣接するエレベータかご室の面との間におけるスペースＳの異なる寸法に対応して、スペースＳを覆い、仕上げ面を付与するために、壁パネル３０をどのように調節しているかが分かる。図３の実施例では、主パネル部分３６及び第２のパネル部分３８は、壁パネル３０がエレベータかご室内に集合的に配設されたときに仕上げ面を付与する。
【００１６】
図２，３の実施例では、パネル部材３４は、図２に示す収縮位置から、図３に示す拡張位置まで自動的に移動可能である。図４は、このような自動的な移動をもたらす一の例示的な構成を概略的に示している。パネル部材３４は、複数の付勢部材４０によって互いに対して選択的に遠ざけられて図３の拡張位置へと押しやられる。本実施例では、付勢部材４０は、一のパネル部材に固定された第１の端部４２と、隣接する一のパネル部材の反応面４６に当接する第２の端部４４と、を有するバネからなる。一実施例では、パネル部材３４及び付勢部材４０は、単一部品として一体的に形成される。一実施例には、プラスチック製のパネル部材３４と、プラスチック製の付勢部材４０と、が含まれる。
【００１７】
図示した実施例には、互いに対するパネル部材３４の調節及び拡張量を制限する制限部材が含まれる。本実施例では、各制限部材は、一のパネル部材３４に接続された軸部（ステム）５０を含む。軸部５０は、隣接する一のパネル部材３４に設けられたスロット５２内に少なくとも部分的に受容される。パネル部材３４が互いに対して移動するとき、軸部５０はスロット５２を通して移動する。
【００１８】
例示的な制限部材の各々は、隣接する一のパネル部材３４の反応面５６に当接するストップ面５４を含み、付勢部材４０によってパネル部材３４が互いに対して離間したときに、軸部５０の長さによって、許容される最大距離（長さ）が生じるようになっている。
【００１９】
図から分かるように、例示的な壁パネル３０は、かご操作パネル２８と、エレベータかご室における隣接する面との間に生じる種々の大きさのスペースＳに対応する。収縮位置と最大拡張位置との間において、種々の拡張位置とすることができる。一実施例において、前記収縮位置では、主パネル部分３６が互いに対して密に接して受容されており、前記最大拡張位置では、主パネル部分３６は拡張位置における最大距離に亘って互いに離間し、第２のパネル部分３８が隣接する主パネル部分３６間の距離を覆うように位置している。
【００２０】
例示的な壁パネル３０を設置することは、例示的な実施例によれば比較的容易である。パネル部材３４は、例えば、付勢部材４０の付勢に対抗して、図２の収縮位置まで互いに対して収縮される。次いで、壁パネル３０は、エレベータかご室内において、かご操作パネル２８と、床３２などの隣接する面との間に位置する。その後、付勢部材４０の作用によって、スペースＳの寸法と実質的に同じ外側寸法を有する拡張位置へとパネル部材３４が移動するまで、パネル部材３４は互いに対して自動的に移動する。換言すると、パネル部材３４は、スペースＳをカバーし、かご操作パネル２８と、床３２などの隣接する面との間においてかご室内に仕上げ面を付与するため、互いに対する所定の位置へと自動的に移動する。
【００２１】
上記の説明は、例示的なものであり、限定的なものではない。当業者であれば、開示した実施例に対して、本発明の本質から逸脱することなく種々の変更や修正が加え得ることを理解されるであろう。本発明に与えられる法的保護の範囲は、以下の特許請求の範囲を検討することにより判断され得る。
【図１】
0005796090.tif 000002
【図２】
0005796090.tif 000003
【図３】
0005796090.tif 000004
【図４】
0005796090.tif 000005
【図５】
0005796090.tif 000006